(57)【要約】【課題】容易に支持筒部の内周における真円度を高くすることができるモータのギヤハウジングを提供する。【解決手段】ギヤハウジング３は、回転軸を回転駆動するモータ本体に固定され、回転軸と連結される減速ギヤを収容し、減速ギヤと連結される出力軸を支持すべく円筒状に突出する支持筒部３ｅを有する。ギヤハウジング３において、支持筒部３ｅの外周側には、その法線Ｌ１から所定の角度θ１を有して延びる補強用リブ１１が形成される。補強用リブ１１は、支持筒部３ｅの略接線方向に延びるように形成されることで、法線Ｌ１から所定の角度θ１を有する。又、ギヤハウジング３には、補強用リブ１１の径方向外側端部と繋がり、支持筒部３ｅを囲うように円筒状に突出する大径筒部１２が形成される。【選択図】      図２
2005069296.tif 000002
【特許請求の範囲】
【請求項１】
回転軸を回転駆動するモータ本体に固定され、前記回転軸と連結される減速ギヤを収容し、前記減速ギヤと連結される出力軸を支持すべく円筒状に突出する支持筒部を有するモータのギヤハウジングにおいて、
前記支持筒部の外周側に、その法線から所定の角度を有して延びる補強用リブを形成したことを特徴とするモータのギヤハウジング。
【請求項２】
請求項１に記載のモータのギヤハウジングにおいて、
前記補強用リブの径方向外側端部と繋がり、前記支持筒部を囲うように円筒状に突出する大径筒部を形成したことを特徴とするモータのギヤハウジング。
【請求項３】
請求項２に記載のモータのギヤハウジングにおいて、
前記大径筒部の裏面に溝部を形成したことを特徴とするモータのギヤハウジング。
【請求項４】
請求項１乃至３のいずれか１項に記載のモータのギヤハウジングにおいて、
前記補強用リブは、前記支持筒部の略接線方向に延びることを特徴とするモータのギヤハウジング。
【請求項５】
請求項１乃至４のいずれか１項に記載のモータのギヤハウジングにおいて、
前記補強用リブは、周方向に一定のパターンを繰り返して形成されることを特徴とするモータのギヤハウジング。
【発明の詳細な説明】
【技術分野】
【０００１】
本発明は、モータのギヤハウジングに関するものである。
【背景技術】
【０００２】
従来、車両ワイパ装置等に用いられるモータは、回転軸を回転駆動するモータ本体と、回転軸の回転を減速して出力する減速部とを備える。減速部は、モータ本体に固定されるギヤハウジングと、ギヤハウジングに収容される減速ギヤ（ウォーム及びウォームホイール）と、減速ギヤ（ウォームホイール）に連結され外部に突出する出力軸とを備える。そして、ギヤハウジングには軸心が傾かないように出力軸を支持すべく円筒状に突出する支持筒部が形成される。又、ギヤハウジングにおいて前記支持筒部の外周側には、放射状（法線方向）に延びる補強用リブが形成される（例えば、特許文献１参照）。このようなギヤハウジングでは、補強用リブにより支持筒部の強度が向上し、支持する出力軸に外力（負荷）が加わってもその軸心が傾くといったことが防止される。
【特許文献１】特開２００１−１０３７０５号公報（図１）
【発明の開示】
【発明が解決しようとする課題】
【０００３】
しかしながら、上記のようなギヤハウジングでは補強用リブが法線方向に延びるため、ギヤハウジングの鋳造時における硬化時に、（硬化時の収縮で）支持筒部に法線方向の張力が大きく作用してしまうことになる。よって、支持筒部の内周の真円度が大幅に低下してしまうという問題がある。尚、上記のように支持筒部の内周の真円度が低いと、その内周に固定される軸受けの軸心が傾いたり、すべり軸受けの潤滑油が漏れる等の虞があるため、前記真円度を高くすべく鋳造後に更に支持筒部の切削加工やサイジング加工が必要となってしまう。
【０００４】
本発明は、上記問題点を解決するためになされたものであって、その目的は、容易に支持筒部の内周における真円度を高くすることができるモータのギヤハウジングを提供することにある。
【課題を解決するための手段】
【０００５】
請求項１に記載の発明では、回転軸を回転駆動するモータ本体に固定され、前記回転軸と連結される減速ギヤを収容し、前記減速ギヤと連結される出力軸を支持すべく円筒状に突出する支持筒部を有するモータのギヤハウジングにおいて、前記支持筒部の外周側に、その法線から所定の角度を有して延びる補強用リブを形成した。
【０００６】
請求項２に記載の発明では、請求項１に記載のモータのギヤハウジングにおいて、前記補強用リブの径方向外側端部と繋がり、前記支持筒部を囲うように円筒状に突出する大径筒部を形成した。
【０００７】
請求項３に記載の発明では、請求項２に記載のモータのギヤハウジングにおいて、
前記大径筒部の裏面に溝部を形成したことを特徴とするモータのギヤハウジング。
請求項４に記載の発明では、請求項１乃至３のいずれか１項に記載のモータのギヤハウジングにおいて、前記補強用リブは、前記支持筒部の略接線方向に延びる。
【０００８】
請求項５に記載の発明では、請求項１乃至４のいずれか１項に記載のモータのギヤハウジングにおいて、前記補強用リブは、周方向に一定のパターンを繰り返して形成される。
（作用）
請求項１に記載の発明によれば、支持筒部の外周側には、その法線から所定の角度を有して延びる補強用リブが形成される。よって、支持筒部の強度が向上し、支持する出力軸に外力（負荷）が加わってもその軸心が傾くといったことが防止される。しかも、補強用リブは、支持筒部の法線から所定の角度を有して延びるため、鋳造時における硬化時に、支持筒部に法線方向の張力が（法線方向に延びるリブに比べて）作用し難くなる。よって、支持筒部の内周における真円度の低下（局部的なヒケ）が低減される。
【０００９】
請求項２に記載の発明によれば、補強用リブの径方向外側端部と繋がり支持筒部を囲うように円筒状に突出する大径筒部が形成されるため、支持筒部の強度が更に向上し、支持する出力軸に外力（負荷）が加わってもその軸心が傾くといったことが更に防止される。
【００１０】
請求項３に記載の発明によれば、大径筒部の裏面には溝部が形成される。よって、鋳造時に溝部には金型の環状凸部が存在されることにより、大径筒部の内側が大径筒部の外側における硬化時の収縮の影響を受け難くなる。よって、支持筒部の内周における真円度が向上される。
【００１１】
請求項４に記載の発明によれば、補強用リブは、支持筒部の略接線方向に延びるため、鋳造時における硬化時に、支持筒部に法線方向の張力が作用し難くなる。
請求項５に記載の発明によれば、補強用リブは、周方向に一定のパターンを繰り返して形成されるため、鋳造時における硬化時に、支持筒部に作用する補強用リブの張力が周方向に略均等となる。よって、支持筒部の内周における真円度が更に向上される。
【発明の効果】
【００１２】
本発明によれば、容易に支持筒部の内周における真円度を高くすることができるモータのギヤハウジングを提供することができる。
【発明を実施するための最良の形態】
【００１３】
以下、本発明を具体化した一実施の形態を図１〜図３に従って説明する。図１に示すように、モータは、モータ本体１（図１中、一点鎖線で示す）と減速部２とを備える。モータ本体１は、ヨークと、ヨークの内周に固着されるマグネットと、ヨーク内に収容された回転子とを備え、回転子（回転軸を含む）を回転駆動する。減速部２は、ギヤハウジング３と、減速ギヤとしてのウォーム４及びウォームホイール５と、出力軸６とを備える。
【００１４】
ギヤハウジング３は、アルミ合金よりなる。ギヤハウジング３は、モータ本体１の回転軸の延長線上に延びるウォーム収容部３ａと、ウォーム収容部３ａの軸直交方向（図１中、右方向）に延びるホイール収容部３ｂとを有する。又、ギヤハウジング３は、ホイール収容部３ｂの延びる方向側端部（図１中、右側端部）における前記回転軸に沿った方向（図１中、上下方向）の両端部に、被固定部（例えば、車両ボディ等）に取り付けるための取付部３ｃ，３ｄを有する。又、ギヤハウジング３は、ホイール収容部３ｂの中央に出力軸６を支持すべく円筒状に（図１中、紙面直交方向手前側に）突出する支持筒部３ｅ（図３参照）を有する。
【００１５】
そして、ウォーム４は、ウォーム収容部３ａに収容され、ウォームホイール５はウォーム４に歯合されるようにホイール収容部３ｂに収容される。尚、本実施の形態のウォーム４は、回転軸に一体形成され、ギヤハウジング３をモータ本体１に組み付ける際にギヤハウジング３内に収容される。又、ホイール収容部３ｂは、ウォームホイール５と対向する一方の面側（図１中、紙面直交方向奥側）が開口して形成され、その開口からウォームホイール５が収容され、その開口が図示しない閉塞部材にて閉塞されることになる。
【００１６】
そして、出力軸６は、ウォームホイール５と一体回転可能に設けられるとともに、前記支持筒部３ｅに回転可能に支持される。尚、本実施の形態では出力軸６は、支持筒部３ｅの内周面に固定されるすべり軸受け７を介して支持される。この出力軸６はギヤハウジング３の外部に突出して、被駆動部材（例えば、車両用ワイパアーム等）に連結される。
【００１７】
ここで、前記ギヤハウジング３において、支持筒部３ｅの外周側には、図２に示すように、その法線Ｌ１から所定の角度θ１を有して延びる補強用リブ１１が形成されている。又、ギヤハウジング３には、補強用リブ１１の径方向外側端部と繋がり、支持筒部３ｅを囲うように円筒状に突出する大径筒部１２が形成されている。この大径筒部１２の裏面（前記ホイール収容部３ｂの内面）には、図３に示すように、大径筒部１２に沿った環状の溝部１３が形成されている。
【００１８】
前記補強用リブ１１は、支持筒部３ｅの略接線方向に延びるように形成されることで、法線Ｌ１から所定の角度θ１を有する。尚、本実施の形態では、補強用リブ１１の幅（厚み）の中心線（直線Ｌ２）が、支持筒部３ｅの幅（厚み）の中心における接線方向（直線Ｌ３）と一致するように設定されている。
【００１９】
又、補強用リブ１１は、周方向に一定のパターンを繰り返して形成されている。詳しくは、本実施の形態の補強用リブ１１は、前記支持筒部３ｅと共に、前記大径筒部１２に１つの頂点を有する三角形Ｚを構成するように、且つ前記三角形Ｚが周方向に連続して形成されるように設定されている。又、本実施の形態では、補強用リブ１１が１２個形成されることで、一対の補強用リブ１１が周方向に一定のパターンで６対形成され、前記三角形Ｚが６０度間隔に６つ形成されている。又、本実施の形態では、図３に示すように、補強用リブ１１及び大径筒部１２の高さが、支持筒部３ｅの高さの略半分に設定されている。
【００２０】
又、前記ギヤハウジング３において、大径筒部１２の外周側には、図１に示すように、大径筒部１２と連続して取付部３ｃ，３ｄに向かって延びる取付補強用リブ１４，１５が形成されている。尚、本実施の形態の取付補強用リブ１４，１５は、取付部３ｃ，３ｄ毎に２つずつ設けられている。
【００２１】
次に、上記実施の形態の特徴的な作用効果を以下に記載する。
（１）支持筒部３ｅの外周側には、図２に示すように、その法線Ｌ１から所定の角度θ１を有して延びる補強用リブ１１が形成される。詳しくは、本実施の形態の補強用リブ１１は、支持筒部３ｅの略接線方向に延びるように形成されることで、法線Ｌ１から所定の角度θ１を有する。よって、支持筒部３ｅの強度が向上し、支持する出力軸６に外力（負荷）が加わってもその軸心が傾くといったことが防止される。しかも、補強用リブ１１は、支持筒部３ｅの法線Ｌ１から所定の角度θ１を有して延びるため、鋳造時における硬化時に、支持筒部３ｅに法線Ｌ１方向の張力が（法線方向に延びる補強用リブに比べて）作用し難くなる。よって、支持筒部３ｅの内周における真円度の低下（局部的なヒケ）が低減される。その結果、支持筒部３ｅの内周における真円度を向上するための鋳造後の切削加工やサイジング加工を不要、若しくは軽微なものとすることができる。
【００２２】
（２）ギヤハウジング３には、補強用リブ１１の径方向外側端部と繋がり、支持筒部３ｅを囲うように円筒状に突出する大径筒部１２が形成されるため、支持筒部３ｅの強度が更に向上し、支持する出力軸６に外力（負荷）が加わってもその軸心が傾くといったことが更に防止される。
【００２３】
（３）大径筒部１２の裏面（前記ホイール収容部３ｂの内面）には、図３に示すように、大径筒部１２に沿った環状の溝部１３が形成される。よって、鋳造時に溝部１３には金型の環状凸部が存在される（言い換えると環状凸部により溝部１３が形成される）ことにより、該環状凸部にて大径筒部１２の内側（支持筒部３ｅ含む）が大径筒部１２の外側における硬化時の収縮の影響を受け難くなる。よって、支持筒部３ｅの内周における真円度が向上される。尚、溝部１３は、大径筒部１２の裏面に形成されることでギヤハウジング３の厚さが単純に薄くなることが防止され、該部分の強度が大径筒部１２にて確保されることになる。
【００２４】
（４）補強用リブ１１は、周方向に一定のパターンを繰り返して形成されるため、鋳造時における硬化時に、支持筒部３ｅに作用する補強用リブ１１の張力が周方向に略均等となる。よって、支持筒部３ｅの内周における真円度が更に向上される。
【００２５】
（５）補強用リブ１１は、支持筒部３ｅと共に、大径筒部１２に１つの頂点を有する三角形Ｚを構成するように、且つ三角形Ｚが周方向に連続して形成されるように設定されている。このようにすると、補強用リブ１１と共に支持筒部３ｅの強度が更に向上し、支持する出力軸６に外力（負荷）が加わってもその軸心が傾くといったことが更に防止される。
【００２６】
（６）ギヤハウジング３において、大径筒部１２の外周側には、大径筒部１２と連続して取付部３ｃ，３ｄに向かって延びる取付補強用リブ１４，１５が形成されるため、取付部３ｃ，３ｄの強度が向上し、被固定部（例えば、車両ボディ等）に強固に（がたつかないように）取り付けることができる。
【００２７】
上記実施の形態は、以下のように変更してもよい。
・上記実施の形態では、補強用リブ１１は、支持筒部３ｅの略接線方向に延びるように形成されることで、法線Ｌ１から所定の角度θ１を有するとしたが、これに限定されず、所定の角度θ１は他の角度に（例えば補強用リブが略接線方向より法線Ｌ１寄りに延びるように）変更してもよい。尚、上記略接線方向とは、支持筒部３ｅの幅（厚み）の範囲内における円の接線方向を含む。
【００２８】
・上記実施の形態では、ギヤハウジング３に大径筒部１２を形成したが、これに限定されず、大径筒部１２が形成されていないギヤハウジングに変更してもよい。尚、この場合、取付補強用リブ１４，１５の形状等も適宜変更する必要がある。
【００２９】
・上記実施の形態では、ギヤハウジング３の大径筒部１２の裏面に大径筒部１２に沿った環状の溝部１３を形成したが、これに限定されず、溝部１３が形成されていないギヤハウジングに変更してもよい。
【００３０】
・上記実施の形態では、補強用リブ１１は、支持筒部３ｅと共に、大径筒部１２に１つの頂点を有する三角形Ｚを構成するように設定されているとしたが、これに限定されず、三角形Ｚを構成しない他の形状に設定してもよい。又、補強用リブ１１の数等においても１２個に限定されず、他の数等に変更してもよい。
【００３１】
・上記実施の形態では、ギヤハウジング３に取付補強用リブ１４，１５を形成したが、これに限定されず、取付補強用リブ１４，１５が形成されていないギヤハウジングに変更してもよい。
【００３２】
・上記実施の形態では、ギヤハウジング３はアルミ合金よりなるとしたが、樹脂材料よりなるギヤハウジングに形状（補強用リブ１１等）を適用してもよい。
上記各実施の形態から把握できる技術的思想について、以下にその効果とともに記載する。
【００３３】
（イ）請求項２乃至５のいずれか１項に記載のモータのギヤハウジングにおいて、
前記補強用リブは、前記支持筒部と共に、前記大径筒部に１つの頂点を有する三角形を構成するように、且つ前記三角形が周方向に連続して形成されるように設定されたことを特徴とするモータのギヤハウジング。このようにすると、補強用リブと共に支持筒部の強度が更に向上し、支持する出力軸に外力（負荷）が加わってもその軸心が傾くといったことが更に防止される。
【図面の簡単な説明】
【００３４】
【図１】本実施の形態におけるモータの正面図。
【図２】本実施の形態におけるギヤハウジングの要部を示す説明図。
【図３】図２のＡ−Ａ断面図。
【符号の説明】
【００３５】
１…モータ本体、３…ギヤハウジング、３ｅ…支持筒部、４…減速ギヤの一部を構成するウォーム、５…減速ギヤの一部を構成するウォームホイール、１１…補強用リブ、１２…大径筒部、１３…溝部、Ｌ１…法線、θ１…所定の角度。
【図１】
2005069296.tif 000003
【図２】
2005069296.tif 000004
【図３】
2005069296.tif 000005